(57)【要約】【課題】発電動作による電気エネルギーの蓄積状態の変化を容易に確認可能な時計を提供する。【解決手段】時計１は、発電手段４と、発電手段７の発電量を検出する電流検出回路６および積分手段８と、発電量を記憶し、蓄積するＲＡＭ１０３と、ＲＡＭ１０３に蓄積される発電量に基づいて、所定期間内における発電量である期間発電量を演算する期間発電量取得手段９と、発電量の増減傾向である発電レベルを設定する発電レベル設定手段１０と、発電レベルに基づいて、発電傾向表示部の所定位置に傾向表示針を移動させて発電レベルを表示させる制御をする発電傾向表示制御手段１１と、を具備した。【選択図】図１
2010243159.tif 000002
【特許請求の範囲】
【請求項１】
発電手段と、
前記発電手段により発電された電気エネルギー量を検出する発電量検出手段と、
前記検出された電気エネルギー量を記憶し、蓄積する発電量記憶手段と、
前記発電量記憶手段に蓄積される前記電気エネルギー量に基づいて、所定期間内における発電量増減傾向である発電傾向情報を演算する発電傾向演算手段と、
前記発電傾向情報を表示する表示手段と、
を具備したことを特徴とする時計。
【請求項２】
請求項１に記載の時計において、
前記発電手段により発電された電気エネルギーにより駆動される計時制御手段と、
前記計時制御手段によって制御されて時刻表示を行う時刻表示手段と、を備え、
前記発電傾向演算手段は、前記発電量記憶手段に蓄積される前記所定期間内の前記電気エネルギー量の総和から、前記所定期間内に前記計時制御手段により消費される電気エネルギー量を差し引いた差分値に基づいて、発電傾向情報を演算する
ことを特徴とする時計。
【請求項３】
請求項１に記載の時計において、
前記発電手段により発電された電気エネルギーを蓄積する蓄電手段と、
前記発電手段により発電された電気エネルギーにより駆動される計時制御手段と、
前記計時制御手段によって制御されて時刻表示を行う時刻表示手段と、を備え、
前記発電量検出手段は、前記発電手段により発電され、前記蓄電手段に蓄積される前記電気エネルギー量を検出し、
前記発電傾向演算手段は、前記発電量記憶手段に記憶される前記所定期間の終了時点における前記電気エネルギー量から前記所定期間の開始時点における前記電気エネルギー量を差し引いた差分値に基づいて、前記発電傾向情報を演算する
ことを特徴とする時計。
【請求項４】
請求項１ないし請求項３のいずれかに記載の時計において、
前記発電傾向演算手段は、現在から予め設定された所定時間前までの間の前記発電傾向情報を演算する
ことを特徴とする時計。
【請求項５】
請求項１ないし請求項３のいずれかに記載の時計において、
前記発電傾向演算手段は、予め設定された所定時間内の前記発電傾向情報を周期的に演算する
ことを特徴とする時計。
【請求項６】
請求項５に記載の時計において、
前記発電傾向演算手段は、先の第一周期に発電された電気エネルギー量の積算値と、第一周期の後の第二周期において発電された電気エネルギー量の積算値との差分値に基づいて、前記発電傾向情報を演算する
ことを特徴とする時計。
【請求項７】
請求項１ないし請求項３のいずれかに記載の時計において、
前記発電傾向演算手段は、所定の開始時点から所定の終了時点に至るまでの期間における前記発電傾向情報を演算する
ことを特徴とする時計。
【請求項８】
請求項１ないし請求項７のいずれかに記載の時計において、
前記表示手段は、
前記発電傾向情報の基準値を示す基準目盛、前記基準目盛の正方向側に形成される発電プラス領域、および前記基準目盛の負方向側に形成される発電マイナス領域を有する発電傾向表示部と、
前記発電傾向表示部内に設けられるとともに、前記基準目盛、前記発電プラス領域、および前記発電マイナス領域のうちいずれかを指す傾向表示針と、
前記傾向表示針を、前記発電傾向情報に基づいて移動させる表示針駆動手段と、
を備えた
ことを特徴とする時計。
【請求項９】
請求項１ないし請求項７のいずれかに記載の時計において、
前記発電手段により発電された電気エネルギーにより駆動される計時制御手段と、
前記計時制御手段によって制御されて、２４時間で２４時表示針を一周させて、２４時表示を実施する２４時表示手段と、を備え、
前記表示手段は、
前記２４時表示針と同軸に配置される傾向表示針と、
前記発電傾向情報に応じて、前記発電傾向情報が所定の基準値である場合に、前記傾向表示針を前記２４時表示針の位置に一致させるように移動させ、前記発電傾向情報に示される前記発電手段による発電傾向が前記基準値より少ない場合、前記傾向表示針を前記２４時表示針より反時計回り方向に所定角度だけ移動させ、前記発電傾向情報に示される前記発電手段による発電傾向が前記基準値より多い場合、前記傾向表示針を前記２４時表示針より時計回り方向に所定角度だけ移動させる制御をする表示針駆動手段と、
を備えたことを特徴とする時計。
【請求項１０】
請求項９に記載の時計において、
前記表示針駆動手段は、前記傾向表示針を所定のステップ駆動間隔でステップ駆動させ、
前記発電傾向演算手段は、前記ステップ駆動間隔における発電増減傾向である発電傾向情報を演算する
ことを特徴とする時計。
【発明の詳細な説明】
【技術分野】
【０００１】
本発明は、発電機能付きの時計に関する。
【背景技術】
【０００２】
従来、発電機能を備えた時計が知られており、このような発電機能付き時計は、電池交換が不要な利点を備えるため、広く利用されるようになった。
そして、発電機能付き電子時計では、発電手段で発電された電力を二次電池に充電して利用している。また、このような発電機能付き電子時計では、ユーザーが発電量を確認できるように、発電手段により発電が実施された際に、専用の指針を駆動させ、発電量を表示させる機能を備えるものもある（特許文献１参照）。
【先行技術文献】
【特許文献】
【０００３】
【特許文献１】特開２００８−２２４５４４号公報
【発明の概要】
【発明が解決しようとする課題】
【０００４】
ところで、上記特許文献１のような時計では、発電手段により発電が実施された瞬間の発電量や、電池の持続時間を表示することが可能であるが、例えば、発電手段による瞬間的な発電量を表示するだけであるため、発電による電気エネルギーの蓄積推移（発電傾向）を知ることができず、例えば、ユーザーが実施する発電操作がどの程度二次電池の蓄電量に影響するかを確認することが困難である。また、二次電池の持続時間を表示した場合でも、二次電池の時間的な持続量を示したに過ぎず、ユーザーが実施する発電操作がどの程度二次電池の蓄積量に影響するかの確認が困難となる。
【０００５】
本発明は、上記のような問題に鑑みて、発電操作による電気エネルギーの蓄積状態の変化を容易に確認可能な時計を提供することを目的とする。
【課題を解決するための手段】
【０００６】
本発明の時計は、発電手段と、前記発電手段により発電された電気エネルギー量を検出する発電量検出手段と、前記検出された電気エネルギー量を記憶し、蓄積する発電量記憶手段と、前記発電量記憶手段に蓄積される前記電気エネルギー量に基づいて、所定期間内における発電量増減傾向である発電傾向情報を演算する発電傾向演算手段と、前記発電傾向情報を表示する表示手段と、を具備することを特徴とする。
【０００７】
この発明では、発電量検出手段により、発電された電気エネルギー量を検出して、検出した発電量を発電量記憶手段に順次、記憶させ、蓄積する。そして、発電傾向演算手段は、発電量記憶手段に蓄積された発電量から、所定期間内に記憶され、蓄積された電気エネルギー量を読み出し、この所定期間内における発電傾向情報を演算する。この発電傾向情報としては、発電手段により発電される具体的な電気エネルギー量であってもよく、電気エネルギー量に基づいて設定される発電量レベルであってもよく、さらには、発電される電気エネルギー量が予め設定される所定基準よりも大きいか否かを示すフラグ情報などであってもよい。
このような発電傾向情報を表示させることで、ユーザーは、所定期間内での発電された電気エネルギー量を確認することができ、また、定期的に表示される発電傾向情報を確認することで、発電された電気エネルギー量の推移を容易に確認することができる。また、ユーザーは、これらの所定期間内の発電による電気エネルギー量や電気エネルギー量の推移を確認することで、発電手段により適切に発電が実施されているか否か、またその発電量が適切であるか否かを容易に判断することが可能となる。例えば、通常の時計使用において、例えば３時間間隔での発電量の推移が発電傾向情報として表示される場合、３時間間隔での発電量が小さい場合では、ユーザーは、発電手段により十分な発電動作が実施されていないと判断することができる。この場合、蓄電される電気エネルギーが時計動作のために消費されているため、現在の蓄電量が十分であったとしても、時計の通常使用で蓄電量が減少し続けていることを意味し、発電傾向情報を表示させることで、ユーザーに当該時計の携帯や発電操作を促すことができる。一方、３時間間隔での発電量が大きい場合では、電気エネルギーが蓄積されていることを意味し、ユーザーは、通常の時計使用において、意識して発電操作を実施する必要がないと判断することが可能となる。
すなわち、発電傾向情報を表示することで、ユーザーが発電された電気エネルギーの蓄積推移を容易に確認することができ、発電量が適切であるか否かを容易に確認することができる。これにより、ユーザーによる適切な発電操作を良好に支援することができる。
【０００８】
本発明の時計では、前記発電手段により発電された電気エネルギーにより駆動される計時制御手段と、前記計時制御手段によって制御されて時刻表示を行う時刻表示手段と、を備え、前記発電傾向演算手段は、前記発電量記憶手段に蓄積される前記所定期間内の前記電気エネルギー量の総和から、前記所定期間内に前記計時制御手段により消費される電気エネルギー量を差し引いた差分値に基づいて、発電傾向情報を演算することが好ましい。
この発明では、所定期間内において、発電手段により発電された電気エネルギー量（発電量）の総和から計時制御手段により消費される電気エネルギー量（消費量）を差し引いた差分値に基づいて、発電傾向情報を演算する。すなわち、発電量のみに基づいた発電傾向情報では、計時制御手段による消費量が減算されていないため、二次電池などの蓄電手段に蓄電される電気エネルギー量である蓄電量の推移を正確に表示手段に表示することができない。このような場合、ユーザーが発電傾向情報から、計時制御手段により消費されるであろう消費量を推測し、発電の傾向を判断する必要がある。
これに対し、本発明では、発電量検出手段は、発電手段による発電量から消費量を差し引いた値に基づいて、発電傾向情報を演算するため、例えば発電傾向情報が負の値である場合には、発電手段による発電量が消費量より少なく、蓄電される電気エネルギー量が減少していることが容易に確認でき、発電傾向情報が正の値である場合には、発電手段による発電量が消費量より多く、蓄電手段に電気エネルギーが蓄積されることが容易に確認できる。したがって、発電によって蓄積される電気エネルギー量の増減をより精度よく表示させることができ、ユーザーによる発電操作を良好に支援することができる。
【０００９】
本発明の時計は、前記発電手段により発電された電気エネルギーを蓄積する蓄電手段と、前記発電手段により発電された電気エネルギーにより駆動される計時制御手段と、前記計時制御手段によって制御されて時刻表示を行う時刻表示手段と、を備え、前記発電量検出手段は、前記発電手段により発電され、前記蓄電手段に蓄積される前記電気エネルギー量を検出し、前記発電傾向演算手段は、前記発電量記憶手段に記憶される前記所定期間の終了時点における前記電気エネルギー量から前記所定期間の開始時点における前記電気エネルギー量を差し引いた差分値に基づいて、前記発電傾向情報を演算する構成としてもよい。
【００１０】
この発明では、発電量検出手段は、蓄電手段に蓄積された電気エネルギー量を検出する。また、発電機能付き時計では、通常、発電手段により発電された電気エネルギーを蓄電手段に蓄積し、計時制御手段は、この蓄電手段から供給される電気エネルギーを用いて、時刻表示手段に時刻表示動作を実施させる。したがって、蓄電手段に蓄積される電気エネルギーを検出することで、上記発明のように、発電された電気エネルギーから計時制御手段により消費された電気エネルギーを差し引いた差分値を容易に検出することができる。また、所定期間開始時点と所定期間終了時点における蓄電量とを比較することで、所定期間において蓄電手段にどれだけ電気エネルギーが蓄電されたかを容易に演算することが可能となる。すなわち、発電傾向演算手段は、発電手段により発電される発電エネルギー（発電量）に基づいて発電傾向情報を演算する場合、所定期間内を複数の時間成分に細分化し、各時間における発電量の総和から、所定期間内での消費量を差し引く演算、または各時間における発電量からその時間での消費量を差し引いた値を積算する必要があり、多くのデータと取り扱う必要がある。これに対して、蓄電手段に蓄電される電気エネルギー量（蓄電量）の電気エネルギー量を直接検出する構成では、所定期間開始時点と所定期間終了時点との蓄電量が検出できれば、これらの２つの蓄電量の差から容易に所定期間内の蓄電量を演算することができる。また、発電によって蓄積される電気エネルギー量の増減を、より容易に、かつより精度よく表示させることができ、ユーザーによる発電操作をさらに良好に支援することができる。
【００１１】
本発明の時計では、前記発電傾向演算手段は、現在から予め設定された所定時間前までの間の前記発電傾向情報を演算することが好ましい。
この発明では、発電傾向演算手段は、現時点から所定時間前までの発電傾向情報を演算し、表示手段により表示させる。したがって、時間経過とともに、順次発電傾向情報が更新されて表示される。これにより、ユーザーは、常に、現時点を中心とした各所定時間以内における最新の発電傾向情報を確認することができる。
【００１２】
本発明の時計では、前記発電傾向演算手段は、予め設定された所定時間内の前記発電傾向情報を周期的に演算する構成としてもよい。
この発明では、発電傾向演算手段は、周期的に所定期間内の発電傾向情報を演算し、表示手段は、発電傾向演算手段により演算された発電傾向情報を表示させる。例えば、３時間毎に過去６時間の発電傾向情報を演算する場合、例えば１５時に９時から１５時までの発電傾向情報が演算されて表示手段により表示されると、１８時までその発電傾向情報が表示され続ける。そして、１８時になると、１２時から１８時までの発電傾向情報が新たに演算されて表示が更新される。このような構成にすることで、発電傾向演算手段による演算処理を所定周期毎に実施すればよいため、処理を簡単にすることができ、消費電気エネルギーの低減も図ることができる。
【００１３】
この時、本発明の時計では、前記発電傾向演算手段は、先の第一周期に発電された電気エネルギー量の積算値と、第一周期の後の第二周期において発電された電気エネルギー量の積算値との差分値に基づいて、前記発電傾向情報を演算することが好ましい。
【００１４】
この発明では、第一周期での発電量の積算値と第二周期の発電量の積算値との差分値を求め、この差分値に基づいて、発電傾向情報を演算する。これにより、発電傾向情報を参照することで、ユーザーは、第一周期と第二周期との発電量を比較することができ、例えば、ユーザーのどのような発電操作により発電量の差が発生するかを確認することなど、より効率のより発電操作の分析が実施可能となる。したがって、ユーザーによる発電操作をより良好に支援することができる。また、発電量の差を演算する場合、計時制御手段により消費される消費量が時間当たり一定であれば、発電量の積算値から消費量を減算する必要がなく、演算処理を簡単にできる。
【００１５】
本発明の時計では、前記発電傾向演算手段は、所定の開始時点から所定の終了時点に至るまでの期間における前記発電傾向情報を演算する構成としてもよい。
この発明では、例えばユーザーにより設定される開始時点から終了時点までの発電傾向情報を演算する。ここで、例えば開始時点を時計購入時や時計使用開始時に設定し、終了時点を現在に設定することで、時計使用開始時点から現在に至るまでの発電傾向、例えば累積発電量などを表示させることができる。また、開始時点および終了時点を任意に設定することで、ユーザーが希望する期間における発電傾向を表示させることができる。したがって、ユーザーが所望する期間の発電傾向を演算することができ、ユーザーによる発電操作を良好に支援することができる。
【００１６】
本発明の時計では、前記表示手段は、前記発電傾向情報の基準値を示す基準目盛、前記基準目盛の正方向側に形成される発電プラス領域、および前記基準目盛の負方向側に形成される発電マイナス領域を有する発電傾向表示部と、前記発電傾向表示部内に設けられるとともに、前記基準目盛、前記発電プラス領域、および前記発電マイナス領域のうちいずれかを指す傾向表示針と、前記傾向表示針を、前記発電傾向情報に基づいて移動させる表示針駆動手段と、を備えることが好ましい。
この発明では、表示手段は、基準目盛、発電プラス領域、および発電マイナス領域を有する発電傾向表示部内で、傾向表示針を移動させて発電傾向情報を表示する。これにより、所定期間内における発電傾向がプラスであるかマイナスであるかを簡単な表示により分かりやすく報知することができる。
【００１７】
本発明の時計では、前記発電手段により発電された電気エネルギーにより駆動される計時制御手段と、前記計時制御手段によって制御されて、２４時間で２４時表示針を一周させて、２４時表示を実施する２４時表示手段と、を備え、前記表示手段は、前記２４時表示針と同軸に配置される傾向表示針と、前記発電傾向情報に応じて、前記発電傾向情報が所定の基準値である場合に、前記傾向表示針を前記２４時表示針の位置に一致させるように移動させ、前記発電傾向情報に示される前記発電手段による発電傾向が前記基準値より少ない場合、前記傾向表示針を前記２４時表示針より反時計回り方向に所定角度だけ移動させ、前記発電傾向情報に示される前記発電手段による発電傾向が前記基準値より多い場合、前記傾向表示針を前記２４時表示針より時計回り方向に所定角度だけ移動させる制御をする表示針駆動手段と、を備えることが好ましい。
このような発電傾向の表示では、各時刻における発電傾向の増減状態を２４時表示部における２４時表示針と同軸上に配置される傾向表示針により表示させることができる。このような構成でも、発電傾向がプラスであるかマイナスであるかを簡単な表示により分かりやすく報知することができる。
【００１８】
この時、本発明の時計では、前記表示針駆動手段は、前記傾向表示針を所定のステップ駆動間隔でステップ駆動させ、前記発電傾向演算手段は、前記ステップ駆動間隔における発電増減傾向である発電傾向情報を演算することが好ましい。
この発明では、傾向表示針の駆動時に同時に、容易に発電傾向情報を更新することができるため、傾向表示針の駆動制御を簡単にでき、駆動に要する消費電力も低減させることができる。
【図面の簡単な説明】
【００１９】
【図１】第一実施形態における発電機能付き電子時計の構成を示すブロック図。
【図２】前記第一実施形態における電子時計の回路ブロック図。
【図３】前記第一実施形態における電子時計の文字板部分を示す図。
【図４】前記第一実施形態における発電手段および表示手段の構成を示す図。
【図５】前記第一実施形態における整流回路および電流検出回路の構成を示す回路図。
【図６】前記第一実施形態における発電状態、積算値およびモーター駆動パルスを示すタイミングチャート。
【図７】前記第一実施形態における期間発電量の例、およびこれらの期間発電量に対する発電レベル、および表示手段の表示例を示す図。
【図８】前記第一実施形態における発電状態表示処理を示すフローチャート。
【図９】第二実施形態における期間発電量の例、およびこれらの期間発電量に対する発電傾向レベル、および表示手段の表示例を示す図。
【図１０】第三実施形態の電子時計の文字板部分を示す図。
【図１１】前記第三実施形態の電子時計の輪列構成の概略を示す図。
【図１２】前記第三実施形態の電子時計における２４時表示部近傍の断面図。
【図１３】前記第三実施形態の電子時計における傾向表示針の表示位置の例を示す図。
【発明を実施するための形態】
【００２０】
〔第一実施形態〕
以下、本発明の第一実施形態を図面に基づいて説明する。
［電子時計の全体構成］
図１は、第一実施形態における発電機能付き電子時計の構成を示すブロック図である。
電子時計（以降、時計１と称す）は、図１に示すように、回転錘２、りゅうず３、発電手段４、整流回路５、電流検出回路６、蓄電手段である二次電池７、積分手段８、期間発電量取得手段９、発電レベル設定手段１０、発電傾向表示制御手段１１、発電傾向表示用モーター駆動回路１２、発電傾向表示用モーター１３、発振回路１４、分周回路１５、時刻表示制御手段１６、時刻表示用モーター駆動回路１７、時刻表示用モーター１８を備えている。
【００２１】
図２は、第一実施形態における時計１の回路ブロック図である。
ここで、図２のハードウェア構成図にも示すように、電流検出回路６、分周回路１５、各モーター駆動回路１２，１７は、バス１００を介してＣＰＵ（central processing unit）１０１、ＲＯＭ（read only memory）１０２、本発明の発電量記憶手段であるＲＡＭ（random access memory）１０３に対してデータを入出力可能に接続されている。
従って、第一実施形態では、積分手段８、期間発電量取得手段９、発電レベル設定手段１０、発電傾向表示制御手段１１、時刻表示制御手段１６は、ＣＰＵ１０１、ＲＯＭ１０２、ＲＡＭ１０３を用い、所定のソフトウェアを実行させることによって実現されている。
【００２２】
図３は、第一実施形態における時計１の文字板部分を示す図である。
時計１は、図３に示すように、時針２１、分針２２、秒針２３からなる時刻表示用指針２０を備えており、この時刻表示用指針２０は前記時刻表示用モーター１８によって駆動される。
また、時計１の文字板２４の９時位置には、時刻表示用指針２０とは別に設けられる傾向表示針３１および発電傾向表示部３２が設けられている。傾向表示針３１は、前記発電傾向表示用モーター１３によって駆動される。
ここで、発電傾向表示部３２は、前記傾向表示針３１の回動中心点を扇中心とする扇形円弧状に形成され、円弧上の中心位置に基準目盛３２１が形成される。そして、発電傾向表示部３２内の基準目盛３２１よりも１２時方向の領域には、後述する発電レベルがプラスである旨を示す発電プラス領域３２２が形成され、基準目盛３２１よりも６時方向には、後述する発電レベルがマイナスである旨を示す発電マイナス領域３２３が形成される。また、各領域３２２，３２３には、それぞれ円弧上に沿って等分された目盛が形成される。第一実施形態では、発電プラス領域３２２に対して５目盛、発電マイナス領域３２３に対して５目盛が形成される。
なお、文字板２４の３時位置には窓２４１が形成され、文字板２４の裏面に配置された日車によって日付が表示可能とされている。この日車は、例えば図示略の筒車から図示略の日回し車を介して、計時表示手段により回転駆動される。
【００２３】
このように構成される時計１においては、本発明の計時制御手段は、発振回路１４、分周回路１５、時刻表示制御手段１６を備えて構成され、時刻表示手段は、時刻表示用モーター駆動回路１７、時刻表示用モーター１８、時刻表示用指針２０を備えて構成されている。
また、本発明の表示針駆動手段は、発電傾向表示制御手段１１、発電傾向表示用駆動回路１２、発電傾向表示用モーター１３により構成され、本発明の表示手段は、傾向表示針３１と、発電傾向表示部３２と、上記表示針駆動手段と、により構成される。
さらに、本発明の発電量検出手段は、電流検出回路６、積分手段８を備えて構成されている。
さらには、本発明の発電傾向演算手段は、期間発電量取得手段９、および発電レベル設定手段１０により構成されている。
【００２４】
［発電手段］
図４は、第一実施形態における発電手段４および表示手段の構成を示す図である。
発電手段４は、図４にも示すように、時計１のケース内部に配置された回転錘２を用いた自動巻き発電と、りゅうず３を用いた手巻き発電とを行えるように構成されている。
すなわち、発電手段４は、発電装置４０と、発電装置４０に回転錘２からの機械的エネルギーを伝達する自動巻き発電用伝達手段４６と、発電装置４０にりゅうず３からの機械的エネルギーを伝達する手巻き発電用伝達手段４７とを備えている。
【００２５】
発電装置４０は、ローター４１が回転可能に配置されたステータ４２と、コイル４３が巻回されたコイルブロック４４とを備えた一般的な交流発電機である。
【００２６】
自動巻き発電用伝達手段４６は、回転錘２と一体で回転する回転錘車４６１と、回転錘車４６１の回転が伝達される切換車４６２とを備えている。そして、切換車４６２は、ローター４１のかなに噛み合い、回転錘２が回転すると、その回転力は回転錘車４６１、切換車４６２を介してローター４１に伝達され、発電装置４０において発電が行われる。
なお、切換車４６２は、ラチェット構造を有するかな４６３を備えた構成であり、回転錘車４６１が時計回り方向に回転した時に、回転がローター４１に伝達されて発電し、反時計回り方向に回転した際には、ラチェット構造により切替車４６２のかな４６３が空回りし、ローター４１に駆動力が伝達されない構造となっている。
【００２７】
手巻き発電用伝達手段４７は、巻真４７１、きち車４７２、丸穴車４７３、揺動車４７４、第一手巻伝え車４７５、第二手巻伝え車４７６、第三手巻伝え車４７７、前記切換車４６２を備えている。
そして、巻真４７１の先端にはりゅうず３が取り付けられているため、使用者がりゅうず３を回すと、巻真４７１が回転する。巻真４７１の回転は、きち車４７２、丸穴車４７３を介して揺動車４７４に伝達され、揺動車４７４の回転が第一手巻伝え車４７５に伝達され、第一手巻伝え車４７５の回転は、第二手巻伝え車４７６および第三手巻伝え車４７７を介して切換車４６２に伝達される。
【００２８】
この際、揺動車４７４は、巻真４７１の一方向への回転時にのみ第一手巻伝え車４７５のかな４７５Ａと噛み合うようになっている。具体的には、揺動車４７４が取り付けられた受け４７８にはスリット４７８Ａが設けられており、このスリット４７８Ａ内に揺動車４７４の支持軸４７４Ａが摺動自在に嵌め込まれている。従って、図４の場合でいえば、巻真操作により丸穴車４７３が時計方向に回転した場合には、揺動車４７４が反時計方向に回転しながら第一手巻伝え車４７５の中心側に移動し、かな４７５Ａと噛み合う。一方、第一手巻伝え車４７５が切換車４６２側からの駆動により時計方向に回転すると、揺動車４７４が反時計方向に回転しながらかな４７５Ａから離間し、第一手巻伝え車４７５との噛み合いが外れる。このような構成により、回転錘２の回転が巻真４７１に伝達されないようになっている。
【００２９】
［整流回路］
整流回路５は、発電装置４０から出力される交流電流を整流するものであり、全波整流回路、半波整流回路などの公知の整流回路が利用できる。
第一実施形態では、図５に示すように、４つのダイオード５１を用いたブリッジ整流回路（全波整流回路）によって整流回路５が構成されている。
【００３０】
［電流検出回路］
電流検出回路６は、整流回路５で整流された電流の大きさを検出可能に構成されたものである。
図５は、第一実施形態における整流回路および電流検出回路の構成を示す回路図である。
具体的には、電流検出回路６は、図５に示すように、整流回路５および二次電池７間に配置された抵抗６１と、この抵抗６１を流れる電流を測定して発電電流のピーク値を検出するピーク検出回路６２と、ピーク検出回路６２で検出された値を閾値と比較する比較回路６３とを備えている。
【００３１】
電流検出回路６は、ＣＰＵ１０１からの信号により、所定のサンプリングレート（サンプリング周期）で駆動され、二次電池７に充電される充電電流のサンプリングを行う。
ピーク検出回路６２では、図６に示すように、整流回路５から出力された発電電流をサンプリングし、各サンプリングにおけるピーク値を検出する。比較回路６３では、ピーク検出回路６２で検出されたピーク値を、所定の閾値、例えば図６においては、閾値Ｉ１〜Ｉ４と比較し、その検出結果信号を積分手段８および発電傾向表示制御手段１１に出力可能に構成されている。
なお、第一実施形態の比較回路６３は、積分手段８の積算値などに基づいて、ＣＰＵ１０１からの信号によって前記閾値の大きさ、つまり検出レベルを切り替えることができるように構成されている。
【００３２】
［蓄電手段］
蓄電手段は、発電電流を充電可能な二次電池７で構成されている。そして、発電装置４０の出力は、整流回路５で整流され、電流検出回路６を介して二次電池７に充電されている。なお、蓄電手段としては、二次電池７に限らず、キャパシターを利用してもよい。
【００３３】
［積分手段］
積分手段８は、電流検出回路６から出力される検出結果信号に基づいて平均電流値を算
出し、その平均電流値を積算する。
すなわち、積分手段８は、予め各サンプリングにおける発電電流のピーク値の値と、そのピーク値の場合の平均電流値との関係を実験などで調べておき、その関係テーブルをＲＯＭ１０２に保存している。そして、電流検出回路６から出力される検出結果信号（ピーク値）に対応する平均電流値を前記テーブルから求め、その平均電流値を積算している。
【００３４】
第一実施形態の積分手段８は、発電量記憶部、累積発電量記憶部を備えている。各記憶部は、ＲＡＭ１０３の一部に構成されている。
発電量記憶部は、図６の「１回の発電の積算値」に示すように、１回の発電時毎に前記平均電流値を積算し、１回の発電の積算値（発電量）を記憶する。また、この発電量記憶部は、一回の発電量を時系列に沿って順次蓄積記憶する。
また、第一実施形態では、発電量記憶手段は、所定期間（第一実施形態では３時間）内の発電量のみを記憶する。すなわち、発電量記憶部は、積分手段８から入力される発電量を過去３時間分だけ記憶し、それ以前の発電量を消去することで、ＲＡＭ１０３の記憶容量の圧迫を防止する。
【００３５】
累積発電量記憶部は、前記計時制御手段が起動して蓄電量が０にリセットされてからの発電量を積算した積算発電量をカウントしている。具体的には、図６の「蓄電量」に示すように、累積発電量記憶部は、リセット時点からの時計１の発電手段４により発電された発電量の積算値の合計値から、時計１の時刻表示動作に消費された消費量を差し引いた値をカウントしており、すなわち、蓄電手段である二次電池７に実際に蓄電されている蓄電量をカウントしている。
なお、時計１の時刻表示動作により消費される消費量は、例えば時計１の消費量を測定し、その測定した消費量に基づいて蓄電量を算出してもよいが、この場合、消費電流を測定する回路などを組み込まなければならず、腕時計のような小型の時計１においては実現が難しい。このため、第一実施形態では、時計１の標準的な所定時間当たりの消費量を予め工場において測定、算出しておき、この測定された消費量を予めＲＯＭ１０２等に記憶している。なお、時計１を使用している場合に、通常の運針制御以外で消費電流が大きな機能を実行した場合には、各機能毎に単位時間あたりの消費量を設定しておき、その機能の実行時間を掛けて消費量を補正してもよい。例えば、時計１に、電波を受信して時刻修正を行う電波修正時計機能が組み込まれている場合には、電波受信処理時や、時刻修正処理時の消費電流を設定しておき、その消費量に基づいて累積発電量記憶部の値を減算補正すればよい。
【００３６】
［発電傾向演算手段］
発電傾向演算手段は、上述したように、期間発電量取得手段９と発電レベル設定手段１０とにより構成されている。
期間発電量取得手段９は、時計１の例えば側面部に設けられる操作ボタンに応じて、発電傾向表示モードを切り替え、それぞれの発電傾向表示モードに応じて、ＲＡＭ１０３の発電量記憶部または累積発電量記憶部から、発電量または累積発電量を取得する。
ここで、発電傾向表示モードとしては、第一実施形態では、期間発電傾向表示モードと、累積発電傾向表示モードとに切り替え可能な構成とする。この期間発電傾向表示モードは、現在から所定期間前、例えば第一実施形態では３時間前までの発電量の増減傾向を表示するモードである。また、累積発電傾向表示モードは、累積発電量記憶部に記憶される二次電池７の蓄電量を表示させるモードである。このようなモードの切り替えは、例えば時計１の側面部に設けられる操作ボタンが操作され、操作信号がＣＰＵ１０１に入力されることで切り替え可能な構成とすればよい。
【００３７】
そして、期間発電量取得手段９は、操作ボタンから、期間発電傾向表示モードに切り替える旨の操作信号が入力されると、ＲＡＭ１０３の発電量記憶部から３時間前から現在までに蓄積された発電量を取得し、これらの発電量を積算する。そして、期間発電量取得手段９は、算出された発電量の積算値から、計時制御手段により消費される３時間分の消費電力（消費量）を減算した期間発電量を算出する。ここで、消費量は上記したように、工場出荷時において、ＲＯＭ１０２に3時間当たりの計時制御手段での消費量が記録されており、期間発電量取得手段９は、発電量の積算値から、ＲＯＭ１０２から読み出した消費量を減算する。
【００３８】
一方、期間発電量取得手段９は、操作ボタンから、累積発電傾向表示モードに切り替える旨の操作信号が入力されると、ＲＡＭ１０３の累積発電量記憶部に記憶される累積発電量を取得する。なお、この累積発電量は、上記したように、二次電池７に蓄電される蓄電量であり、計時制御手段により消費される消費量がすでに減算された値であるため、特別な減算処理を実施する必要はない。
【００３９】
図７は、期間発電量に対する発電レベル、および表示手段の表示例を示す図である。
発電レベル設定手段１０は、期間発電傾向表示モードに対して、発電傾向情報である発電レベルを設定する。この発電レベルは、所定の期間発電量に対して予め設定されるレベルであり、発電レベル設定手段１０は、例えばＲＯＭ１０２やＲＡＭ１０３に予め記憶される、期間発電量に対する発電レベルの関係が記録される期間発電レベルテーブルデータに基づいて設定する。例えば、図７に示す例では、期間発電量が０（Ｗｈ）以上１００（Ｗｈ）未満の場合、発電レベルを＋１、１００（Ｗｈ）以上２００（Ｗｈ）未満の場合、発電レベルを＋２、２００（Ｗｈ）以上３００未満である場合を＋３、以降同様に１００（Ｗｈ）単位で発電レベルに１を加算する。
また、発電レベル設定手段１０は、累積発電傾向表示モードにおいても略同様であり、例えばＲＯＭ１０２やＲＡＭ１０３に予め記憶される、累積発電量（蓄電量）に対する蓄電レベルの関係が記録される蓄電レベルテーブルデータに基づいて設定する。
【００４０】
［発電傾向制御手段］
発電傾向表示制御手段１１は、発電レベル設定手段１０の出力に基づいて発電傾向表示用モーター駆動回路１２を制御している。すなわち、期間発電傾向表示モードでは、発電傾向表示制御手段１１は、発電レベル設定手段１０から出力される発電レベルを傾向表示針３１で指示するように発電傾向表示用モーター駆動回路１２を制御する。
第一実施形態では、期間発電傾向表示モードでは、発電傾向表示部３２の１目盛りが、発電レベルの「１」に相当するように設定されている。そして、発電傾向表示制御手段１１は、期間発電量取得手段９により現在から３時間前までの期間発電量が演算され、発電レベル設定手段１０によりその期間発電量に対する発電レベルが設定されると、発電傾向表示用モーター駆動回路１２を制御して、発電レベルに応じた量だけ傾向表示針３１を移動させる。例えば、図７の「０時〜３時」の間に示すように発電レベルが＋１である場合、発電傾向表示用モーター駆動回路１２は、傾向表示針３１を基準目盛３２１から反時計回り方向に１目盛り分移動する。一方、図７の「９時〜１２時」の間の期間発電量のように、発電が実施されず、計時制御手段による消費量のみが演算された場合では、発電レベルもマイナスの値（例えば−１）が設定されるが、この場合、発電傾向表示用モーター駆動回路１２は、傾向表示針３１を基準目盛３２１から時計回り方向に１目盛り分移動する。
【００４１】
また、累積発電傾向表示モードにおいても同様に、発電傾向表示制御手段１１は、発電レベル設定手段１０により累積レベルが設定されると、発電傾向表示用モーター駆動回路１２により、蓄電レベルに応じた量だけ傾向表示針３１を移動させる。
例えば、図７の「３時〜６時」の間に示すように蓄電レベルが＋３である場合、発電傾向表示用モーター駆動回路１２は、傾向表示針３１を基準目盛３２１から反時計回り方向に３目盛り分移動させる。
【００４２】
［発電表示用モーター駆動手段］
発電傾向表示用モーター駆動回路１２は、発電傾向表示制御手段１１から出力される駆動制御信号に基づいて、発電傾向表示用モーター１３のモーターコイル１３１に駆動パルスを出力して発電傾向表示用モーター１３の駆動を制御している。
【００４３】
［発電傾向表示用モーターおよび傾向表示針３１の駆動輪列］
発電傾向表示用モーター１３は、図４に示すように、モーターコイル１３１が巻かれたコイルブロック１３２と、ローター１３４が回転自在に配置されたステータ１３３とを備えている。
前記ローター１３４のローターかなには、中間車３４が噛み合い、この中間車３４のかなには表示車３３が噛み合っている。そして、この表示車３３に前記傾向表示針３１が取り付けられている。
【００４４】
なお、表示車３３は、その外周の一部のみに歯が形成されており、発電傾向表示用モーター１３によって一定角度範囲内のみで回動可能に設けられ、表示車３３に取り付けられた傾向表示針３１も一体角度範囲で回動可能に設けられている。
このため、上述したように、発電傾向表示部３２を平面扇形に形成することで、前記傾向表示針３１の先端の移動軌跡に沿って円弧状に目盛が形成することが可能となる。
【００４５】
［計時制御手段および時刻表示手段］
一方、通常の時刻を表示するための計時制御手段および時刻表示手段は、従来からある一般的なアナログ式クオーツ時計の構成であるため、詳細な説明は省略する。
すなわち、発振回路１４は、水晶振動子などで構成され、所定周波数の信号を出力する。分周回路１５は、発振回路１４からの信号を分周し、例えば１Ｈｚの基準信号を出力する。
時刻表示制御手段１６は、分周回路１５の基準信号に基づいて時刻表示用モーター駆動回路１７に駆動信号を出力する。通常、発振回路１４から１Ｈｚの基準信号が入力される毎に、駆動信号を出力する。時刻表示用モーター駆動回路１７は、前記駆動信号に基づいて時刻表示用モーター１８のモーターコイルに入力し、時刻表示用モーター１８は時刻表示用指針２０をステップ運針する。
なお、時刻表示用モーター駆動回路１７は、発電傾向表示制御手段１１からの制御信号により、持続時間が０になった際には、時刻表示用指針２０の運針を停止するスリープモードに移行するように構成されている。
【００４６】
［電子時計の動作］
次に、このような構成の時計１における動作に関し、図面を参照して説明する。
図８は、時計１における動作における発電傾向表示処理を示すフローチャートである。
時計１では、回転錘２やりゅうず３によって発電手段４で発電が行われていると、整流回路５を介して二次電池７に発電電流（充電電流）が流れるとともに、その電流が電流検出回路６で検出される。また、電流検出回路６で電流が検出されると積分手段８により発電量が演算され、各発電タイミングにおける発電量がＲＡＭ１０３の発電量記憶部に順次記憶され、蓄積される。また、積分手段８は、ＲＡＭ１０３の累積発電量記憶部に、リセット時からの発電量の積算値から計時制御手段により消費される消費量を減算した蓄電量である累積発電量を記憶する。
そして、時計１の表示手段により発電傾向情報を表示するには、まず、時計１は、現在の発電傾向表示モードを認識する（ステップＳＴ１）。すなわち、第一実施形態の時計１では、ユーザーによる操作ボタンの操作により設定入力される操作信号に基づいて、期間発電傾向表示モードおよび累積発電傾向表示モードのいずれかにモード切り替える。
次に、時計１は、切り替えられたモードが、期間発電傾向表示モードであるか否かを判断する（ステップＳＴ２）。このステップＳＴ２において、発電傾向表示モードが期間発電傾向表示モードであると判断された場合、時計１の期間発電量取得手段９は、ＲＡＭ１０３の発電量記憶部から、現時点から３時間前から現在までに蓄積記憶された発電量を取得し、これらの発電量の積算値を演算する。また、期間発電量取得手段９は、この積算値から、計時制御手段を３時間駆動することで消費される消費量を差し引き、期間発電量を演算する（ステップＳＴ３）。
【００４７】
また、時計１の発電レベル設定手段１０は、ＲＯＭ１０２から期間発電レベルテーブルデータを読み込み、ステップＳＴ３により演算された期間発電量に対する発電レベルを設定する（ステップＳＴ４）。
この後、発電レベル設定手段１０は、設定された発電レベルを発電傾向表示制御手段１１に出力する。これにより、発電傾向表示制御手段１１は、発電レベルに応じて、発電傾向表示用モーター駆動回路を制御して、発電傾向表示用モーター１３を駆動させ、発電レベルに応じた位置に傾向表示針３１の表示位置を移動させる（ステップＳＴ５）。
【００４８】
一方、ステップＳＴ２において、「Ｎｏ」であると判断、すなわち発電傾向表示モードが累積発電傾向表示モードであると判断すると、期間発電量取得手段９は、ＲＡＭ１０３の累積発電量記憶部から累積発電量を取得し（ステップＳＴ６）、発電レベル設定手段１０に出力する。
この場合、発電レベル設定手段は、蓄電レベルテーブルデータに基づいて、累積発電量に対する蓄電レベルを設定し、発電傾向表示制御手段１１に出力する（ステップＳＴ７）。
そして、発電傾向表示制御手段１１は、ステップＳＴ５と同様の処理を実施し、発電傾向表示用モーター駆動回路１２を制御して、発電傾向表示用モーター１３を駆動させ、蓄電レベルに応じた位置に傾向表示針３１の表示位置を移動させる。
【００４９】
［第一実施形態の作用効果］
上述したように、上記実施形態の時計１では、発電手段４により発電が実施されると、電流検出回路６および積分手段８により構成される発電量検出手段は、発電手段４により発電された発電量を検出して、その検出した発電量をＲＡＭ１０３に記憶し、蓄積する。そして、発電傾向演算手段を構成する期間発電量取得手段９は、ＲＡＭ１０３に記憶される発電量のうち、所定期間の発電量、例えば、現在から過去３時間以内の期間発電量や、リセット時から現在までの累積発電量を取得し、発電傾向演算手段を構成する発電レベル設定手段１０は、この所定期間の発電量に基づいて、発電傾向情報である発電レベルや蓄電レベルを設定する。そして、発電傾向表示制御手段１１は、発電傾向表示用モーター駆動回路１２を制御して、傾向表示針３１を移動させ、発電傾向表示部３２内の所定位置に移動させる。
このため、時計１では、所定期間における発電傾向を示す発電レベルや蓄電レベルを発電傾向表示部３２に表示させることができる。したがって、ユーザーは、この表示される発電傾向情報に基づいて、例えば「過去３時間以内」や「一日以内」などの期間におけるユーザーによる発電操作がどの程度の発電量になるかを容易に認識することができる。また、上記のような発電レベルや蓄電レベルを定期的に確認することで、発電増減傾向の推移を確認することも可能となる。したがって、ユーザーは、これらの発電レベルや蓄電レベルに応じて、所定期間においてユーザーが実施した発電操作が適切であったか否かを容易に判断することができる。また、時計携帯中の腕の振り方などに違いによる発電量の大小の変化をも容易に確認することができる。したがって、所定期間における発電増減傾向である発電レベルや蓄電レベルを表示させることで、ユーザーによる発電操作を良好に支援することができる。
また、二次電池７の持続時間表示などの時間系の表現ではなく、時計の使い方による発電傾向を適切に表現することができ、時計を持っていることによる生活傾向など時間表現でない表示を間接的に行うことができる。
【００５０】
また、期間発電量取得手段９は、ＲＡＭ１０４の発電量記憶部に記憶され、蓄積される発電量から、所定期間（例えば、第一実施形態では現在から３時間以内）における発電量を取得してこれらの積算値を演算し、さらに、計時制御手段によりこの所定期間において消費される消費量を減算した期間発電量を演算する。そして、発電レベル設定手段１０は、この期間発電量に対応する発電傾向情報としての発電レベルを設定する。
ここで、発電量の積算値から消費量が減算されない発電傾向情報を表示した場合、僅かな発電量があれば、消費量よりも発電量が少ない場合でも、発電レベルでは、プラスの値が表示されることとなる。このような場合、実際には二次電池７に蓄積される電気エネルギーが消費されることとなり、蓄電が実施されていると誤認するおそれがある。これに対して、上記のように、発電量の積算値から消費量を減算した期間発電量を演算し、この期間発電量に応じた発電レベルを表示させることで、発電が十分に実施されていない場合には、発電レベルとしてマイナスの値を表示させることができ、ユーザーに蓄電量が減少していることを確実に報知することができる。また、ユーザーは、表示される発電レベルから消費量の分を減算するなど煩雑な作業をすることがなく、表示される発電レベルを確認するだけで容易に、所定期間内の発電傾向を認識することができる。
【００５１】
さらに、上記のように現在を基準に所定時間以内（３時間以内）の発電レベルを表示させる。このため、時間経過とともに、現時点を中心とした最新の発電傾向（発電レベル）を常に表示させることができる。したがって、ユーザーは、現時点を中心とした所定時間以内の発電動作に対する発電傾向を容易に確認することができ、ユーザーが実施した比較的現時点に近い時間の発電操作に対してどの程度の発電量が得られるかを容易に確認することができ、ユーザーによる発電操作の支援をより適切に実施することができる。
【００５２】
また、時計１では、累積発電傾向表示モードにおいて、期間発電量取得手段９は、ＲＡＭ１０３の累積発電量記憶部から累積発電量を取得する。そして、発電レベル設定手段１０は、この累積発電量に基づいて蓄電レベルを設定し、発電傾向表示制御手段１１により発電傾向表示部３２および傾向表示針３１により表示させる制御をする。
このため、ユーザーは、過去の発電による二次電池７への蓄電量を容易に確認することができる。また、このような蓄電レベルを表示させることで、二次電池７の持続量を容易に確認することができ、ユーザーに発電動作を適切に促すことができる。
【００５３】
そして、時計１は、発電傾向表示部３２と傾向表示針３１を備え、発電傾向表示部３２は、基準目盛３２１を中心に、発電プラス領域３２２と、発電マイナス領域３２３を備え、発電傾向表示制御手段１１により、傾向表示針３１が基準目盛３２１、発電プラス領域３２２、および発電マイナス領域３２３のいずれかを指し示す。このような構成により、傾向表示針３１により、発電量が消費量を上回っているか否かを、簡単な表示構成で容易に確認することができる。
【００５４】
〔第二実施形態〕
次に、本発明に係る第二実施形態の時計について説明する。
上述した第一実施形態では、期間発電量取得手段９は、現在から３時間以内の発電量の積算値から消費量を減算した期間発電量を算出したが、第二実施形態の時計では、期間発電量取得手段９により取得する発電量の期間、および発電レベル設定手段によるレベル設定方法が異なる。なお、第二実施形態のその他の構成については、上記第一実施形態と略同様であるため、その説明を省略または簡略する。
図９は、第二実施形態の期間発電量の例、およびこれらの期間発電量に対する発電傾向レベル、および表示手段の表示例を示す図である。
【００５５】
具体的には、第二実施形態の時計１では、ＲＡＭ１０３の発電量記憶部は、少なくとも過去２４時間以内の発電量を記憶し、蓄積する。
そして、期間発電量取得手段９は、所定周期で所定時間内の発電量を取得し、その積算値から消費量を差し引いた期間発電量を演算する。例えば、図９に示すように、期間発電量取得手段９は、３時間間隔で、過去２４時間分の発電量を取得し、その発電量の積算値から２４時間分の計時制御手段による消費量を差し引いた期間発電量を演算する。
【００５６】
また、発電レベル設定手段１０は、現在の周期（第二周期）期間発電量取得手段９により演算された期間発電量と、前周期（第一周期）において演算された期間発電量との差である発電変化量を演算する。そして、発電レベル設定手段１０は、例えばＲＯＭ１０２に予め記憶される、発電変化量と発電傾向レベルとの関係テーブルデータから、発電変化量に対する発電傾向レベルを設定する。
【００５７】
例えば、図９に示す例では、期間発電量取得手段９は、０時、３時、６時、９時…のように３時間周期の演算タイミングで、２４時間前からの前記演算タイミングまでの発電量を取得し、期間発電量を演算する。そして、発電レベル設定手段１０は、先の演算タイミング（第一周期）で取得された期間発電量と、現在の演算タイミング（第二周期）で取得した期間発電量とを比較する。例えば、演算タイミングが３時の場合、０時に取得した期間発電量である３００（Ｗｈ）と、３時に取得した期間発電量である３５０（Ｗｈ）との差分値である発電変化量（５０Ｗｈ）を演算し、この発電変化量に対する発電傾向レベル（例えば、＋１）を設定する。
そして、発電傾向表示制御手段１１は、上記のように設定された発電傾向レベルに応じて、傾向表示針３１を駆動させる制御を実施する。
【００５８】
なお、第二実施形態の時計１においても、表示傾向表示モードの切り替えにより、発電傾向情報を切り替える構成としてもよく、この場合、上記第一実施形態で説明した、発電レベル、蓄電レベルに加え、上記発電傾向レベルの表示を切り替え可能な構成としてもよい。
【００５９】
［第二実施形態の作用効果］
上記第二実施形態の時計１では、上記第一実施形態の作用効果に加えて次の効果がある。
すなわち、第二実施形態の時計１では、期間発電量取得手段９は、所定周期間隔（例えば３時間間隔）の演算タイミングで、所定時間（例えば２４時間）の発電量の積算値を取得し、その積算値から所定時間における消費量を減算した期間発電量を演算する。そして、発電レベル設定手段１０は、先の演算タイミングと現在の演算タイミングとにおける期間発電量の差分値である発電変化量を算出し、この発電変化量に対応する発電傾向レベルを設定する。
このため、時間経過による発電量の変化の推移を発電傾向表示部３２および傾向表示針３１により表示させることができる。したがって、ユーザーは発電量の変化状態を確認することができ、ユーザーによる発電動作をより適切に支援することができる。また、所定周期間隔の演算タイミングで発電傾向レベルの設定処理および発電傾向レベルの表示を実施するため、常時発電傾向情報を演算して表示させる構成に比べて、処理負荷の低減を図れ、二次電池７に蓄積される蓄電量の減少を抑えることができる。
また、ユーザーは、例えば２４時間毎などの同じサイクルにおける行動パターンを比較することができるため、毎日の生活パターンでの変化を時計１を通じて実感することができる。したがって、例えば昨日の発電傾向が一昨日の発電傾向に少ない場合、昨日における行動量が少なかったと認識することができ、日々の行動量や生活傾向などを時間表現でない表示を間接的に行うことができる。
【００６０】
［第三実施形態］
次に本発明に係る第三の実施形態について、図面に基づいて説明する。
この第三実施形態では、上記第一実施形態や第二実施形態と略同様の処理により発電傾向情報である発電レベルや蓄電レベル、発電傾向レベルを演算するが、その発電傾向方法の表示方法が上記実施形態と異なる。
図１０は、第三実施形態の電子時計の文字板部分を示す図である。図１１は、第三実施形態の電子時計の輪列構成の概略を示す図である。図１２は、第三実施形態の電子時計における２４時表示部近傍の断面図である。
【００６１】
図１０に示すように、第三実施形態の時計１では、文字板２４は、９時位置に累積発電状態表示部３５が設けられ、６時位置に、２４時表示部３６が設けられている。
累積発電状態表示部３５は、上記第一実施形態における発電傾向表示モードにおける累積発電傾向表示モードにおいて演算される蓄電レベルを表示する領域であり、第一実施形態と同様の処理および構成により、傾向表示針３１が駆動される。なお、第三実施形態では、この累積発電状態表示部３５は、第一実施形態のような発電マイナス領域３２３が設けられず、図１０に示すように、扇形状の６時側端部に基準目盛３２１が形成され、その１２時方向側に発電プラス領域３２２のみが形成される構成となっているが、上記第一実施形態と同様の形状の発電傾向表示部３２が設けられる構成としてもよい。
また、９時位置に蓄電レベルを表示する累積発電状態表示部３５が設けられる例を示すが、これに限定されず、例えば、二次電池７の持続時間を演算し、この持続時間を表示させる持続時間表示部を設ける構成としてもよく、その他の発電傾向や、発電状態などを表示させる構成としてもよい。
【００６２】
２４時表示部３６は、１周を均等に２４分割した２４時表示目盛３６１と、計時制御手段により駆動制御される２４時表示針３６２と、を備えている。
ここで、２４時表示針３６２の駆動、および２４時表示針３６２を駆動させるための２４軸駆動輪列は、従来の２４時表示が可能な電子時計と同一の構成を備えるものであればよい。
例えば、図１１に示すように、時刻表示用モーター駆動回路１７により駆動制御される時刻表示用モーター１８は、モーターコイル１８１が巻かれたコイルブロック１８２と、ローター１８４が回転自在に配置されたステータ１８３とを備えている。
前記ローター１８４のローターかなには、中間車１８５が噛み合い、この中間車１８５のかなには、分針２２を保持する二番車１８６が噛み合っている。また、この二番車１８６のかなに日の裏車１８７が噛み合い、日の裏車１８７のかなには、二番車１８６と同軸上で回転可能に設けられ、時針２１を保持する筒車１８８が噛み合っている。さらに、この筒車１８８のかなに、２４時中間車１８９が噛み合い、この２４時中間車１８９のかなに２４時車１９０が噛み合っている。そして、時刻表示用モーター１８の駆動力が２４時車１９０に伝達され、２４時車１９０が２４時間で１周する速度で回転される。また、２４時車１９０は、円筒状の針保持筒１９１が設けられ、この針保持筒１９１に前記２４時表示針３６２が固定されている。
【００６３】
また、２４時表示針３６２の回転中心には、この２４時表示針３６２と同軸上で回転可能な第二傾向表示針３７１が設けられている。具体的には、２４時車１９０と同軸上で回転可能な傾向車２００が設けられている。この傾向車２００は、第二傾向表示針３７が固定される傾向針保持軸２０１を有し、この傾向針保持軸２０１は、図１２に示すように、針保持筒１９１を挿通して文字板２４側に突設される。
また、この傾向車２００は、発電傾向表示用モーター駆動回路１２に接続される第二発電傾向表示用モーター２１０により駆動される。具体的には、第二発電傾向表示用モーター２１０は、モーターコイル２１１が巻かれたコイルブロック２１２と、ローター２１４が回転自在に配置されたステータ２１３とを備え、ローター２１４に前記傾向車２００が噛合している。これにより、第二傾向表示針３７は、発電傾向表示制御手段１１により駆動制御可能となる。
ここで、傾向車２００は、第二発電傾向表示用モーター２１０により、１周を６０分割し、６０ステップで一周する。また、第三実施形態では、第二傾向表示針３７を２４時表示針３６に連動させ、さらに、期間発電量に応じて、針位置を２４時表示針３６２に対して所定方向に移動させる構成が採られている。すなわち、所定時間（例えば、第三実施形態では、２４分）における発電量と、計時制御手段により消費される消費量とが同等である場合、２４時表示針３６２と第二傾向表示針３７とが略同一針位置に位置する。この場合、１周２４時間を６０分割した時間である２４分間隔で第二傾向表示針３７を１ステップ移動させる。
【００６４】
また、この第三実施形態の時計１では、期間発電量取得手段９は、ＲＡＭ１０３の発電量記憶部に記憶される発電量に基づいて、上記第一実施形態の期間発電傾向表示モードと略同様の処理を実施して、２４分間隔で期間発電量を演算する。
また、これと同時に、期間発電量取得手段９は、ＲＡＭ１０３の累積発電量取得手段に記憶される累積発電量に基づいて、上記第一実施形態の累積発電傾向表示モードと同様に、累積発電量を取得する。
また、発電レベル設定手段１０は、期間発電量取得手段９の処理により得られる期間発電量および累積発電量に基づいて、第一実施形態と同様に、発電レベルおよび蓄電レベルを設定する。
そして、発電傾向表示制御手段１１は、発電レベルおよび蓄電レベルのうち、蓄電レベルに基づいて、表示針駆動手段である発電傾向表示用モーター１３を駆動させて、傾向表示針３１を駆動させて、発電傾向表示部３２上で蓄電レベルを表示させる。
【００６５】
一方、発電傾向表示制御手段１１は、発電レベルに基づいて、第二発電傾向表示用モーター２１０を駆動させる。この時、発電傾向表示制御手段１１は、上述したように、２４分間隔で、第二傾向表示針３７を移動させる。ここで、上記のように、２４分間隔での期間発電量と、計時制御手段により消費される消費量とが同じである場合、発電レベル設定手段１０により例えば、発電レベルとして「０」が出力されるが、この場合、発電傾向表示制御手段１１は、第二傾向表示針３７を２４時表示針３６２と略同一指針位置に移動させる。したがって、発電傾向表示制御手段１１は、発電レベルが「０」である期間が長期続く場合、第二傾向表示針３７を１ステップずつ移動させることとなる。
これに対して、発電レベルがプラスである場合、発電傾向表示制御手段１１は、２４時表示針３６２よりも時計回り方向に進んだ位置に第二傾向表示針３７を移動させ、発電レベルがマイナスである場合、２４時表示針３６２よりも反時計回り方向に進んだ位置に第二傾向表示針３７を移動させる制御をする。
この時、発電傾向表示制御手段１１は、前回の発電レベルと次に出力される発電レベルとに応じて、指針位置を適宜補正して表示させる。例えば、前回の発電レベルが例えば「０」であり、次の出力された発電レベルが例えば「−１」である場合、発電傾向表示制御手段１１は、２４分毎の駆動量である＋１ステップ分と、発電傾向を「０」から「−１」まで移動させる−１ステップ分との合計値が０ステップ分となるため、第二傾向表示針３７を移動させない。また、例えば、前回の発電レベルが例えば「−２」であり、表示位置が２４時表示針３６に対して、２ステップ分、反時反計周り方向に移動されており、次の出力された発電レベルが例えば「−１」である場合、発電傾向表示制御手段１１は、２４分毎の駆動量である＋１ステップ分と、発電傾向を「−２」から「−１」まで移動させる＋１ステップ分との合計値である＋２ステップ分だけ第二傾向表示針３７を移動させる。さらに、例えば、前回の発電レベルが例えば「＋１」であり、表示位置が２４時表示針３６に対して、１ステップ分時計周り方向に移動されており、次の出力された発電レベルが例えば「−２」である場合、発電傾向表示制御手段１１は、２４分毎の駆動量である＋１ステップ分と、発電傾向を「＋１」から「−２」まで移動させる−３ステップ分との合計値である−２ステップ分、つまり、反時計回り方向に２ステップ分だけ第二傾向表示針３７を移動させる。
【００６６】
図１３は、第三実施形態の時計１における２４時表示針３６２と、第二傾向表示針３７との表示位置の例を示す図である。図１３において、横軸は経過時間、縦軸は指針の表示位置を示す。ここで、２４時表示針３６２は、時刻表示用の輪列と同期して駆動されるため、経過時間に対して一定角度で比例的に変化する。一方、第二傾向表示針３７は、２４分間隔のステップ駆動により駆動されるため、期間発電量が一定の場合でも、経過時間に対して、段階的に指針位置が変化する。
【００６７】
［第三実施形態の作用効果］
上記第三実施形態の時計１では、９時方向に設けられる傾向表示針３１および発電傾向表示部３２により、累積発電傾向表示モードでの蓄電レベルが表示され、６時方向に設けられる第二傾向表示針３７により、期間発電傾向表示モードの発電レベルが表示される。したがって、発電傾向表示モードを切り替えるなどの作業をすることなく、発電レベルおよび蓄電レベルの２つの発電傾向情報を表示させることができる。これにより、ユーザーは、時計１における発電傾向を２つの発電傾向情報により良好に確認することができ、より適切なユーザーの発電操作の支援を実施することができる。
また、発電レベルを表示させる場合、第一および第二実施形態に示すように、プラス・マイナスだけの表現のみでもよいが、この場合、どの時間に対する値であるかといった、経時的基準を視覚的に表現しにくい場合がある。これに対して、第三実施形態では、経時的基準を２４時表示針３６２で表示させ、この２４時表示針３６２で表示される時間に対しての発電傾向を第二傾向表示針３７にて表示させることができる。したがって、時刻表示に対して発電が十分であるか不足しているかを適切に表現することができ、より適切なユーザーの発電操作の支援を実施することができる。
【００６８】
さらに、２４時表示針３６２と同軸上に第二傾向表示針３７を設け、２４時表示針に対して、第二傾向表示針３７を進ませる、または遅らせることで、容易に所定時間前から現時点までの発電レベルをさせることができる。
【００６９】
さらには、期間発電量取得手段９は、第二傾向表示針３７のステップ間隔である２４分間隔で期間発電量を算出し、発電レベル設定手段１０は、この期間発電量に基づいた発電レベルを設定している。したがって、２４分間隔で駆動される第二傾向表示針３７のステップ駆動間隔で発電傾向を表示させればよいため、第二傾向表示針３７の駆動制御が容易となる。すなわち、第二傾向表示針３７を２４時表示針３６２と略同一指針位置に移動させるためのステップ駆動と、発電傾向を表示させるタイミングとが別である場合、それぞれのタイミングでの指針駆動が必要で、制御が複雑になるだけでなく、消費電力も増大する。これに対して、上記のように、第二傾向表示針３７のステップ駆動時に、発電レベルを設定し、発電レベルに応じた指針位置に第二傾向表示針３７を移動させる構成では、経時変化に伴う第二傾向表示針３７のステップ分と、発電レベルに応じたステップ分との合計値だけ第二傾向表示針３７を移動させればよい。したがって、第二傾向表示針３７を２４時表示針３６２に連動させる動作と、発電傾向の表示動作の双方を同時に実施することができるため、第二傾向表示針３７の制御も容易となり、指針移動に伴う消費電力も低減できる。また、発電レベルがマイナスの値である場合では、第二傾向表示針３７を２４時表示針３６２に連動させるための１ステップ分の駆動量を差し引くことができ、駆動量の低減による消費電力の低減を図ることもできる。
【００７０】
［他の実施形態］
なお、本発明は前述の実施形態に限定されるものではなく、本発明の目的を達成できる範囲での変形、改良等は本発明に含まれるものである。
【００７１】
例えば、上記第一ないし第三実施形態において、期間発電量取得手段９によりＲＡＭ１０３の発電量記憶部に記憶される発電量を取得して期間発電量を演算し、発電レベル設定手段１０により発電レベルや発電傾向レベルを設定する構成としたが、これに限定されない。
例えば、累積発電量記憶部に記憶される累積発電量、すなわち蓄電量に基づいて発電レベルを設定する構成としてもよい。
この場合、ＲＯＭ１０３の累積発電量記憶部は、例えば所定時間間隔での二次電池７の蓄電量を記憶し、所定時間における蓄電量を蓄積する。ここで、蓄電量は、上記実施形態と同様に、発電量の積算値から蓄電量を算出する構成としてもよく、二次電池７に蓄電される蓄電量を直接検出する構成としてもよい。
そして、期間発電量取得手段９は、所定期間における開始時点から終了時点における蓄電量の差から期間発電量を算出する。例えば、３時間間隔の期間発電量を演算する場合、期間発電量取得手段９は、開始時点である３時間前の蓄電量と、終了時点である現時点の蓄電量を取得し、現時点の蓄電量から３時間前の蓄電量を差し引いた期間発電量を算出する。
このような構成では、期間発電量取得手段９にて、計時制御手段により消費される消費量を減算する必要がなく、また、二次電池７の蓄電量は、計時制御手段以外の構成により消費された消費電力も減算された値となるため、正確な発電量の増減傾向を求めることができ、より正確に発電傾向を表示させることができる。また、期間発電量取得手段９は、開始時点および終了時点の蓄電量のみを取得すればよく、処理に用いるデータ量を少なくでき、処理負荷の低減および消費電力の低減を図ることができる。
【００７２】
また、上記第一実施形態の発電傾向表示モードでは、期間発電量取得手段９は、現在から３時間前までの期間を所定期間として発電レベルを設定し、第二実施形態では、３時間周期で２４時間内を所定期間として発電傾向レベルを設定したが、これに限定されない。例えば所定期間として、どのような期間に設定されていてもよく、例えば月単位、日単位、時間単位、分単位などに設定することができる。さらに、ユーザーにより任意に設定される所定時間前から現在に至るまでの発電レベルや発電傾向レベルを演算し、表示させてもよい。この場合、例えば、ＲＡＭ１０３は、計時制御手段による時刻表示制御用の計時カウンタを有し、発電が実施された際の計時カウンタのカウンタ値と、その発電により測定された発電量とを関連付けて、発電量記憶部に記憶する。そして、期間発電量取得手段９は、ユーザーにより設定入力される操作信号に基づいた測定開示時点から現在に至るまでの発電量を積算する。
【００７３】
さらに、第一実施形態の累積発電傾向表示モードでは、二次電池７の蓄電量が０となるリセット時から現在に至るまでの累積発電量（蓄電量）を取得し、発電レベル設定手段１０は、この累積発電量に基づいて、発電傾向情報を演算するがこれに限らない。例えば、累積発電量のカウント開始タイミングを任意に変更可能な構成としてもよく、この場合、累積発電量記憶部は、このカウント開始タイミングの二次電池７の蓄電量を基準とし、このカウント開始タイミングから現在に至るまでの蓄電量を積算してカウントする構成としてもよい。
また、累積発電傾向モードにおいて、期間発電量取得手段９は、ＲＡＭ１０３の累積発電量記憶部から蓄電量を取得するとしたが、例えば、発電量記憶部が長い時間の発電量を蓄積可能な構成とし、期間発電量取得手段９は、この発電量記憶部に記憶されて蓄積される全発電量を積算することで、累積発電量を取得する構成としてもよい。
【００７４】
さらには、ユーザーにより累積発電傾向表示モードにおいて、表示させる期間の開始時点、および終了時点を任意に設定可能な構成としてもよく、この場合、期間発電量取得手段９は、これらの設定された開始時点から終了時点までの発電量を積算した期間発電量を演算すればよい。この時、上記のように、ＲＡＭ１０３は、計時制御手段による時刻表示制御用の計時カウンタを有し、発電が実施された際の計時カウンタのカウンタ値と、その発電により測定された発電量とが関連付けられて、発電量記憶部に記憶される構成とすることで、容易に任意に設定された期間内における発電量の積算値を算出することができる。
【００７５】
また、第三実施形態において、２４時表示部の２４時表示針３６２に対して、第二傾向表示針３７の位置を調整することで、２４時表示針３６２にて示される時間から所定期間以内の発電レベルを表示させる構成としたが、これに限らない。例えば、１周を３１分割した表示部上で表示針を１ヶ月で一周させることで日付を表示させる日付表示部を備えた時計において、この表示針に対して第二傾向表示針３７を同軸上に設ける構成としてもよい。この場合、現在から２４時間以内の期間発電量に基づいた発電レベルに応じて第二傾向表示針３７を移動させる構成などとしてもよい。
【００７６】
その他、本発明の実施の際の具体的な構造および手順は、本発明の目的を達成できる範囲で他の構造などに適宜変更できる。
【符号の説明】
【００７７】
１…時計、４…発電手段、６…発電検出手段を構成する電流検出回路、７…蓄電手段である二次電池、８…発電検出手段を構成する積分手段、９…発電傾向演算手段を構成する期間発電量取得手段、１０…発電傾向演算手段を構成する発電レベル設定手段、１１…表示手段の表示針駆動手段を構成する発電傾向表示制御手段、１２…表示手段の表示針駆動手段を構成する発電傾向表示用モーター駆動回路、１３…表示手段の表示針駆動手段を構成する発電傾向表示用モーター、１４…計時制御手段を構成する発振回路、１５…計時制御手段を構成する分周回路、１６…計時制御手段を構成する時刻表示制御手段、１７…時刻表示手段を構成する時刻表示用モーター駆動回路、１８…時刻表示手段を構成する時刻表示用モーター、２０…時刻表示手段を構成する時刻表示用指針、３２…表示手段を構成する発電傾向表示部、３１…表示手段を構成する傾向表示針、３７…第二傾向表示針（傾向表示針）、１０３…発電量記憶手段であるＲＡＭ、２１０…表示手段の表示針駆動手段を構成する第二発電傾向表示用モーター、３２１…表示手段の発電傾向表示部を構成する基準目盛、３２２…表示手段の発電傾向表示部を構成する発電プラス領域、３２３…表示手段の発電傾向表示部を構成する発電マイナス領域。
【図１】
2010243159.tif 000003
【図２】
2010243159.tif 000004
【図３】
2010243159.tif 000005
【図４】
2010243159.tif 000006
【図５】
2010243159.tif 000007
【図６】
2010243159.tif 000008
【図７】
2010243159.tif 000009
【図８】
2010243159.tif 000010
【図９】
2010243159.tif 000011
【図１０】
2010243159.tif 000012
【図１１】
2010243159.tif 000013
【図１２】
2010243159.tif 000014
【図１３】
2010243159.tif 000015